(57)【要約】      （修正有）【課題】極めて簡単な手段により、箸の振動や移動を吸収して打撃音の発生がなくなると共に、箸および箸箱に傷を付けることなく、且つ洗浄も簡単にできる衛生的な携帯用箸箱を提供する。【解決手段】箸１３を収納する凹部７を形成すると共に、箸１３の出し入れをするための開口部８を上面部に設けた箸箱本体１と、開口部８を開閉可能にする蓋体とからなる箸箱である。箸箱本体１の底面２に振動吸収マット９を配設する。【選択図】図１
0003152961.tif 000002
【実用新案登録請求の範囲】
【請求項１】
箸を収納する凹部を形成すると共に、箸の出し入れをするための開口部を上面に設けた箸箱本体と、その開口部を開閉可能にする蓋体とからなる箸箱であって、箸箱本体の底面に振動吸収マットを配設したことを特徴とする携帯用箸箱。
【請求項２】
前記振動吸収マットは、少なくとも底面の前方部と後方部に配設したことを特徴とする請求項１に記載の携帯用箸箱。
【請求項３】
前記振動吸収マットは、底面と両側面を覆うように配設されていることを特徴とする請求項１または２記載の携帯用箸箱。
【請求項４】
前記振動吸収マットは、弾力性と軟質性を有する素材から形成されている請求項１から３のいずれか１項に記載の携帯用箸箱。
【考案の詳細な説明】
【技術分野】
【０００１】
本考案は、携帯用の箸箱に関するもので、さらに詳しくは、自分の専用箸（以下、マイ箸という）を収納して持ち歩く箸箱に関するものである。
【背景技術】
【０００２】
近年、エコロジー運動や環境保護の一環として、マイ箸を推進する運動やキャンペーンが行政や企業などにより行われ、マイ箸を持つ人が次第に増えてきている。すなわち、外食時などにテーブルに備えてある割箸を使用しないで携帯してきた自分専用の箸を使用して食べた後、洗浄して箸箱などに入れて再使用するものである。
【０００３】
マイ箸を携行するためには箸袋や箸箱に収納して携行するのが普通である。箸袋は一般的に布製であり、布端に袋部を形成し、その袋部に箸を差し込み、布を巻き込んで結束紐で数回巻回して爪を挿し込んで包みこむものであり、一部には西陣織や正絹その他の高級織物の端布を用いて作られた高級な箸袋もあるが、汚れた場合の洗濯が簡単にできないばかりでなく、使用する時には、結束紐を解き巻き込んだ布も解いて袋部から箸を出さなければならず手間がかかるという問題点がある。
【０００４】
一方、箸箱の場合は、箸を出し入れするのは容易であるが、歩行時に発生する振動などにより「カチャカチャ」という音が発生する。この音は、箸箱と箸との余裕空間により箸が上下や前後左右に移動することにより発生する打撃音であり、余裕空間が多いほど発生する打撃音が大きくなるという傾向がある。
【０００５】
この打撃音は、箸箱が木製、竹製、プラスチック製などによって音質の違いはあるが、携帯者は勿論のこと、周囲の人にも騒音として耳に入り不快感を与えることになる。また近年、マイ箸は金属製の素材を使用したものが多く、そのため、箸箱との使用素材の違いにより箸箱の内部と共に、箸の表面に傷が発生し、双方とも損傷して寿命を早めることになっている。
【０００６】
そのような欠点を解消するために、従来から箸の移動をなくして、接触傷や接触音の発生しない箸箱が種々提案されている。例えば、その一つとして、一端部を閉じ他端部を開口部とした筒状の容器体と、その開口部に着脱可能な蓋部とからなり、蓋部の一端部に箸を着脱可能に保持するための手段を設けた箸収納容器が提供されている（例えば、特許文献１参照）。
【０００７】
また、別のものとして、箸を収納すると共に、箸出し入れ部を設けた箸箱本体と、箸出し入れ部を開閉する箸蓋とからなり、前記箸箱本体または前記箸蓋の一部分に片持ち状弾性変形部を設け、その弾性変形により前記箸を押圧する箸箱が提供されている（例えば、特許文献２参照）。
【０００８】
さらに、別のものとして、蓋の内側中央部に箸箱本体を二分する仕切り突起部を設け、その突起部と箸箱本体の両側面の間で箸を保持する携帯用箸箱が提供されている（例えば、特許文献３参照）。
【先行技術文献】
【特許文献】
【０００９】
【特許文献１】実用新案登録第３１３８４５５号公報
【特許文献２】特開２００９−３４３４６号公報
【特許文献３】特開２００７−３０７３３６号公報
【考案の概要】
【考案が解決しようとする課題】
【００１０】
しかしながら、上記特許文献１の箸収納容器は、箸の把持部を蓋部の一端部に設けた孔に嵌合して保持することから、箸の着脱の度に把持部が孔の周壁面と摺接して傷がつくばかりでなく、孔との嵌合に時間がかかり面倒であるという問題点がある。
【００１１】
特許文献２の箸箱は、箸蓋を摺動させて先端の突起部を底板の弾性変形部の下に入れ、弾性変形部に載置されている箸を押し上げて、箸を箸蓋の裏側に押し付けて固定するから、箸蓋と接する面および弾性変形部と接する面が傷つく虞があり、また、箸蓋を長さ方向にスライドさせることにより開口部を開閉するため、箸の取り出しや固定に時間がかかり、箸蓋を固定する時には大きな力で箸蓋をスライドしなければ固定できないという問題点がある。
【００１２】
特許文献３の箸箱は、蓋本体の仕切り突起部と箸箱本体の両側面とで箸が保持されるものであり、箸の把持部の両側面に傷を付けることになり、また、箸箱本体或いは蓋本体に変形を生じると、蓋本体を嵌め込むことができなくなるという問題点がある。
【００１３】
本考案は、上記のような問題点を解決することを課題として開発されたもので、極めて簡単な手段により、箸の振動や移動を吸収して打撃音の発生がなくなると共に、箸および箸箱に傷を付けることなく、且つ洗浄も簡単にできる衛生的な携帯用箸箱を提供することを目的とするものである。
【課題を解決するための手段】
【００１４】
上記の課題を解決し、その目的を達成する手段として、本考案は、箸を収納する凹部を形成すると共に、箸の出し入れをするための開口部を上面に設けた箸箱本体と、その開口部を開閉可能にする蓋体とからなる箸箱であって、箸箱本体の底面に振動吸収マットを配設したことを特徴とする携帯用箸箱を開発し、採用した。
【００１５】
また、上記のように構成した携帯用箸箱において、前記振動吸収マットは、少なくとも底面の前方部と後方部に配設したことを特徴とする携帯用箸箱、および前記振動吸収マットは、底面と両側面を覆うように配設されていることを特徴とする携帯用箸箱、および前記振動吸収マットは、弾力性と軟質性を有する素材から形成されていることを特徴とする携帯用箸箱を開発し、採用した。
【考案の効果】
【００１６】
請求項１によれば、箸箱本体の底面に振動吸収マットを配設してあるから、箸を箸箱に収容して持ち歩いても、振動が吸収されて箸は動くことがなく、箸と箸および箸と箸箱による接触音が発生しなくなり、従来のような「カチャカチャ」という音がしなくなってマイ箸を持ち歩いていることが分からない。また、箸箱本体および蓋体に傷が付くことがないので、長期間にわたって使用可能になる。さらに、振動吸収マットの取り付けは、特に構造的な要素はなく、そのまま底面に敷設してあるから、指で摘み上げることで容易に取り外すことができ箸箱本体の洗浄も簡単にできる。
【００１７】
請求項２によれば、振動吸収マットは、少なくとも底面の前方部と後方部に配設してあり、先部の挟持部および箸の把持部に該当する部分の２箇所で接触して、振動、移動が吸収されることから、挟持部がずれたり、把持部がずれたりすることなく、真っ直ぐな状態で収容された形態を保持できる。
【００１８】
請求項３によれれば、振動吸収マットは、底面から両側面を覆っているから、前後左右の振動、移動が発生しても、吸収されて箸は動くことがないので箸と箸および箸と箸箱による接触がなく、音の発生がなくなるばかりでなく、箸の底面および側面を傷つけることがなく、長期間にわたって使用可能になる。
【００１９】
請求項４によれば、振動吸収マットは、弾力性と軟質性を有する素材から形成されているから、素材の持つ特性で充分な保持力があり、ずれたり外れたりすることがなく、確実に箸を保持することができる。
【図面の簡単な説明】
【００２０】
【図１】箸を収納した状態の箸箱本体の平面図である。
【図２】図１のＡ−Ａ線断面図である。
【図３】図１のＢ−Ｂ線断面図である。
【図４】振動吸収マットを配設した箸箱本体の平面図である。
【図５】蓋体の底面図である。
【図６】図５のＣ−Ｃ線断面図である。
【図７】振動吸収マットの平面図である。
【図８】蓋体を箸箱本体に嵌合した状態の縦断面図である。
【考案を実施するための形態】
【００２１】
以下に、本考案の実施の形態を添付図面に基づいて説明すれば、１は木製、竹製、プラスチック製などからなる比較的短い平面長方形状の携帯用の箸箱本体であり、底面２と両側面３，４と前後面５，６とからなり、その各面２，３，４，５，６に囲まれた内面部を箸収納凹部７に形成すると共に、箸１３を出し入れするための長方形状の開口部８を上面に有している。
【００２２】
９は箸収納凹部７の底面２の前方部と後方部に配設した振動吸収マットであり、この振動吸収マット９は、エラストマーあるいはゴム、合成ゴムなどからなる弾力性と軟質性を有する薄い楕円形状のものであり、箸箱本体１を洗浄しやすいように前方部と後方部の底面２に配置してあるだけで簡単にとることができる。１０は箸箱本体１の前後面５，６の平面部に埋め込まれた永久磁石である。
【００２３】
１１は箸箱本体１の上面開口部８を開閉する蓋体であり、箸箱本体１と同様に、木製、竹製、プラスチック製などからなる平面長方形状のものであり、蓋体１１の底面の前後部に永久磁石１２，１２が埋め込まれてあり、前記箸箱本体１の前後面５，６の永久磁石１０，１０と密着して閉鎖するようになっている。
【００２４】
このように構成した本考案の実施形態における使用例を作用、効果と共に説明すると、図１に示すように、箸箱本体１の箸収容部７に箸１３を収容して携行すると、箸１３の把持部１３ａと先部の挟持部１３ｂに振動吸収マット９，９が当接するから、箸１３は振動、移動することがなく、箸１３が傷ついたり、箸箱本体１を傷つけたりすることなく、しかも接触音の発生もなくなるので携行しても何ら支障をきたすことがなくなる。
【００２５】
また、箸箱本体１に対して蓋体１１を上から被せる構造であり、箸箱本体１と蓋体の相対向する面に設けた永久磁石１０，１０、１２，１２の接合、離反で開閉するから、開閉が極めて容易になり、長期間の使用に際しても、箸箱本体１と箸体１１は緩まず、しっかり密着するものである。
【００２６】
さらに、エラストマーあるいはゴム、合成ゴムからなる弾力性と軟質性を有する素材の振動吸収マット９を使用することにより、箸収納凹部７の底面２、両側面３，４に沿って敷くことができ振動吸収マット９がずれたり外れたりすることがない。
【００２７】
以上、本考案の主要な実施の形態について説明したが、本考案は上記実施の形態に限定されるものではなく、例えば、吸収マットを底面の前方部と中間部と後方部の３箇所に配設することもあり、また、箸箱本体に対して蓋体を上から被せて永久磁石での開閉としたが、ヒンジ式による開閉でもよく、考案の目的を達成でき、かつ考案の要旨を逸脱しない範囲内において種々の設計変更が可能であることは言うまでもない。
【産業上の利用可能性】
【００２８】
本考案は、マイ箸を携行するための箸箱だけに限らず、通常の箸箱としても有効に用いることができる。
【符号の説明】
【００２９】
１      箸箱本体      
２      底面
３，４  両側面
７      箸収容凹部
８      開口部
９      振動吸収マット
１１    蓋体
１３    箸
【図１】
0003152961.tif 000003
【図２】
0003152961.tif 000004
【図３】
0003152961.tif 000005
【図４】
0003152961.tif 000006
【図５】
0003152961.tif 000007
【図６】
0003152961.tif 000008
【図７】
0003152961.tif 000009
【図８】
0003152961.tif 000010